【事件の表示】
　特願２００６−　８７５２８「毛髪数の計測方法および発毛剤の投与による毛髪数の変化の測定方法」拒絶査定不服審判事件〔平成１９年１０月１１日出願公開、特開２００７−２６００３８〕について、次のとおり審決する。
【結　論】
　本件審判の請求は、成り立たない。
【理　由】
第１　手続の経緯　
　本願は，平成１８年３月２８日を出願日とする出願であって，平成２３年６月２３日付けで拒絶理由が通知され，同年９月１日付けで手続補正がなされ，平成２４年８月１４日付けで最後の拒絶理由が通知されたが，請求人からは何の応答もなかったので，同年１２月２６日付けで拒絶査定がなされ，平成２５年４月８日に拒絶査定不服審判の請求がなされ，同時に手続補正（以下，「本件補正」という。）がなされたものである。
　
第２　本件補正についての補正の却下の決定　　
［補正の却下の決定の結論］　　
　本件補正を却下する。　　
　　　
［理由］　　
１　補正後の本願発明（下線は補正箇所を示す。）　　
　本件補正により，補正前の特許請求の範囲の請求項１は，
「【請求項１】
　下記の（１）〜（５）の工程を順次実行することを特徴とする毛髪数の計測方法。
（１）計測対象者の頭部に対して計測部位とする部位を含む部位を選定する工程
（２）選定部位に生えている毛髪を０．５ｍｍ〜３ｍｍの長さに必要に応じてカットする工程
（３）選定部位
の
の
を
カメラレンズと頭皮の距離を常に一定にするための接触ドームを先端に接続したＣＣＤカメラ付マイクロスコープを用いて行い，
工程
（４）画像データをコンピュータに取り込んで画面上に表示し，画面上に表示した画像の中から所定面積の計測部位を決定し，画面上で計測部位に生えている毛髪１本一本に対してタグマークを付与する工程
（５）画面上に付与したタグマークを自動集計することで毛髪数の計測を行う工程」
と補正された。　　
　
　本件補正は，補正前の請求項１に係る発明を特定するために必要な事項である「撮影はカメラレンズと頭皮の距離を常に一定にするための接触ドームをカメラの先端に接続して行う」について，「撮影
を
カメラレンズと頭皮の距離を常に一定にするための接触ドームを先端に接続したＣＣＤカメラ付マイクロスコープを用いて行い
ＣＣＤカメラ付マイクロスコープ
　したがって，本件補正は，平成１８年法律第５５号改正附則第３条第１項によりなお従前の例によるとされる同法による改正前（以下，「平成１８年法改正前」という。）の特許法第１７条の２第４項第２号の特許請求の範囲の減縮を目的とするものに該当する。
　そこで，本件補正後の前記請求項１に係る発明（以下「補正発明」という。）が，特許出願の際独立して特許を受けることができるものであるか（平成１８年法改正前の特許法第１７条の２第５項において準用する同法第１２６条第５項の規定に適合するか）について以下に検討する。
　
２　引用刊行物およびその記載事項（下線は当審で付与した。）
（１）本願の出願前に頒布され，原査定の拒絶の理由に引用された刊行物である特開平３−２１８７３５号公報（以下，「刊行物１」という。）には，「毛成長測定方法」について，図面とともに次の事項が記載されている（下線は当審で付与した。）。
（１−ア）
「〔産業上の利用分野〕
本発明は，毛髪の成長速度，トリコグラム，毛髪直径，硬毛密度，軟毛密度，毛群を迅速かつ正確に測定し，各人の毛髪に関する特徴や育毛効果等を評価することができる毛成長測定方法に関する。」（第１頁左下欄１０〜１５行）
　
（１−イ）
「本発明の目的は，毛髪の成長速度，トリコグラム，毛髪直径，硬毛密度，軟毛密度，毛群を迅速かつ正確に測定することができる毛成長測定方法を捷供することにある。
（課題を解決するための手段〕
　本発明は，頭皮の拡大画像を録画し，この画像から毛成長速度，トリコグラム，毛髪直径，
硬毛密度，軟毛密度
測定方法
　
（１−ウ）
「〔実施例〕
　第１図は，本発明の毛成長測定方法を実現する毛成長速度の測定装置の一例を示すブロック図である。
　まず
測定したい部位を必要に応じて毛刈りする（本実施例では直径５ｍｍほど毛刈りした）
その後，毛刈り部位の毛髪
光透過性の押え板（１０）（本実施例ではガラス板）で毛刈り部位を押え，光を真上から照射して毛刈り部位の撮影を行う。
　
毛刈りした皮膚の拡大画像の入力および記録は，ビデオカメラ（１１）で撮影した画像をスチルビデオレコーダー（１２）によりモニター（ｌ３）に表示させると同時にビデオディスク（ｌ４）に記録することによって行なわれる。
　
ビデオディスク（ｌ４）に記録された画像は，スチルビデオレコーダー（１２）からのビデオ信号をＲＧＢ信号に変換するビデオ／ＲＧＢデコーダ（１５）を経て，画像信号をデジタル化するＡ／Ｄコンバータ（１６）を通して画像解析装置（ｌ７）に入力される。
　経時的な測定を行わない場合には，スチルビデオレコーダー（１２）及びビデオディスク（１４）は必ずしも必要でなく，
ビデオカメラ（１ｌ）をビデオ／ＲＧＢデコーダ（１５）に直結してもよい。
　
画像解析装置（ｌ７）は，入力画像をモニター（ｌ８）に表示すると同時に，ホストコンピュータ（２０）を介してキーボード（２２）およびデジタイザ−（１９）からの指令により画像中の毛髪の毛先および毛が毛穴から出ている座標並びに毛幅の座標（後述する具体例では毛が毛穴から出ている位置の毛幅の両端の座標）をホストコンピュータ（２０）に出力する。
　
ホストコンピュータ（２０）は指定された座標を結び，座標データから毛長及び毛髪直径を求め，結果をモニター（２１）に表示する
　また，データをビデオディスク（１４）及びホストコンピュータ（２０）にインプットする。以上の測定および操作を適宜期間をおいて行うことによって各毛髪の成長速度を算出し，毛周期を判定する。
　また，
ホストコンピュータ（２０）は，指定された毛髪直径（後述する具体例では３０μｍ）で硬毛・軟毛を種別し，そのカウント数と画像面積から１ｃｍ
２
あたりの硬毛密度，軟毛密度を求め，結果をモニター（２１）に表示する
　
（１−エ）
「
第３図は，毛刈り部位の撮影後，デジタイザー（１９）により指定された毛先の位置及び毛が毛穴から出ている位置を結んだ毛長を示す線並びに毛穴から出ている位置の毛幅の両端を結んだ毛髪直径を示す線を同時に表示した図である。
　第４図は，本発明の方法により，健康状態が良好な２７〜５５才の
被験者３０名の頭頂部及び側頭部
　
　上記（１−ア）〜（１−エ）の記載と第１〜１２図を参照し，上記摘記事項（１−エ）の「第３図は，毛刈り部位の撮影後，デジタイザー（１９）により指定された毛先の位置及び毛が毛穴から出ている位置を結んだ毛長を示す線並びに毛穴から出ている位置の毛幅の両端を結んだ毛髪直径を示す線を同時に表示した図である。このことによって，各毛髪の長さ及び直径を正確に測定することができる。」との記載より「入力画像をモニター（ｌ８）に表示し，デジタイザ−（１９）からの指令により画像中の毛髪の毛先および毛が毛穴から出ている座標並びに毛幅の座標を指定している。」といえることを考慮し，補正発明に倣って，工程に順番に番号をつけて整理すると，上記刊行物１には，次の発明が記載されていると認められる。
「下記の［１］〜［５］の工程を順次実行することを特徴とする硬毛密度，軟毛密度測定方法。
［１］被験者の頭頂部及び側頭部の測定したい部位を必要に応じて毛刈りする工程
［２］その後，光透過性の押え板（１０）で毛刈り部位を押え，光を真上から照射して毛刈り部位の撮影を行う工程
［３］毛刈りした皮膚の拡大画像の入力および記録は，ビデオカメラ（１１）で撮影した画像をスチルビデオレコーダー（１２）によりビデオディスク（ｌ４）に記録する工程
［４］ビデオディスク（ｌ４）に記録された画像を，スチルビデオレコーダー（１２）からのビデオ信号をＲＧＢ信号に変換するビデオ／ＲＧＢデコーダ（１５）を経て，画像信号をデジタル化するＡ／Ｄコンバータ（１６）を通して画像解析装置（ｌ７）に入力し，画像解析装置（ｌ７）は，入力画像をモニター（ｌ８）に表示すると同時に，ホストコンピュータ（２０）を介してキーボード（２２）およびデジタイザ−（１９）からの指令により画像中の毛髪の毛先および毛が毛穴から出ている座標並びに毛幅の座標をホストコンピュータ（２０）に出力する工程
［５］ホストコンピュータ（２０）は指定された座標を結び，座標データから毛長及び毛髪直径を求め，指定された毛髪直径で硬毛・軟毛を種別し，そのカウント数と画像面積から１ｃｍ２あたりの硬毛密度，軟毛密度を求める工程」（以下，「引用発明」という。）
　
（２）本願の出願日前に頒布され，原査定の拒絶の理由に引用された刊行物である「R.Hoffmann,Trichoscan: What Is New?,Dermatology,2005,Vol.211,No.1,pp.54-62」（以下「刊行物２」という。）には，図面とともに次の事項が記載されている。
（２−ア）「・・・digital images are obtained either with ・・・ or with digital cameras ・・・.All systems are equipped with a rigid 'contact lens' which ensures that the images are always taken at the same distance from the scalp.」（第５５頁左欄３０〜３９行）「当審仮訳:デジタル画像は・・・や，・・・デジタルカメラを用いて得られる。全てのシステムは，画像がいつでも頭皮から等距離で撮られることを保証する固定された「レンズを接触させるもの」を備えている。」
　
（３）本願の出願日前に頒布された刊行物である特開平１１−３０８４９６号公報（以下「刊行物３」という。）には，「ＣＣＤマイクロスコープ」について，図面とともに次の事項が記載されている。
（３−ア）
「【０００１】
【発明の属する技術分野】本発明は，
皮膚や頭皮などの被観察物を所定の拡大倍率で画面に映し出して観察するＣＣＤマイクロスコープに関する。
【００１６】　
本例に係るＣＣＤマイクロスコープ１は，被観察物に当接されるヘッド２を先端に形成した鏡筒３内に，
撮像するＣＣＤ素子６が配設される
　
３　対比・判断　
　補正発明と引用発明とを対比する。
ア　引用発明の「被験者の頭頂部及び側頭部」は，補正発明の「計測対象者の頭部」に相当する。
　そうすると引用発明の「被験者の頭頂部及び側頭部の測定したい部位」は，補正発明の「計測対象者の頭部に対して計測部位とする部位」に相当する。
　
イ　引用発明の「被験者の頭頂部及び側頭部の測定したい部位を必要に応じて毛刈りする工程」は，「被験者の頭頂部及び側頭部の測定したい部位を選定する工程」を内在している。
　そうすると，引用発明の内在する「被験者の頭頂部及び側頭部の測定したい部位を選定する工程」と補正発明の「計測対象者の頭部に対して計測部位とする部位を含む部位を選定する工程」とは，「計測対象者の頭部に対して計測のための部位を選定する工程」の点で共通する。
　
ウ　引用発明の「必要に応じて毛刈りする工程」と，補正発明の「選定部位に生えている毛髪を０．５ｍｍ〜３ｍｍの長さに必要に応じてカットする工程」とは，共に必要がなけらば毛髪をカットしないので，相違点とはならない。
　
エ　引用発明の「ビデオカメラ（１１）」と，補正発明の「デジタルカメラ」とは，「カメラ」である点で共通する。
　そして，引用発明の「撮影」は，補正発明の「撮影」に相当する。
　そうすると，引用発明の「毛刈りした皮膚の拡大画像の入力および記録は，ビデオカメラ（１１）で撮影し」と，補正発明の「選定部位のデジタルカメラでの撮影を，カメラレンズと頭皮の距離を常に一定にするための接触ドームを先端に接続したＣＣＤカメラ付マイクロスコープを用いて行い」とは，「選定部位のカメラでの撮影を行い」の点で共通する。
　
オ　引用発明の「画像をスチルビデオレコーダー（１２）によりビデオディスク（ｌ４）に記録する」は，補正発明の「画像データを取得する」に相当する。
　
カ　引用発明の「モニター（ｌ８）に表示」は，補正発明の「画面上に表示」に相当する。
　引用発明の「ビデオディスク（ｌ４）に記録された画像を，・・画像解析装置（ｌ７）に入力し，画像解析装置（ｌ７）は，入力画像をモニター（ｌ８）に表示すると同時に，ホストコンピュータ（２０）を介してキーボード（２２）およびデジタイザ−（１９）からの指令により画像中の毛髪の毛先および毛が毛穴から出ている座標並びに毛幅の座標をホストコンピュータ（２０）に出力する」と，
補正発明の「「画像データをコンピュータに取り込んで画面上に表示し，画面上に表示した画像の中から所定面積の計測部位を決定し，画面上で計測部位に生えている毛髪１本一本に対してタグマークを付与する」とは，
「画像データを処理装置に取り込んで画面上に表示し，生えている毛髪１本一本に対して指定する」点で共通する。
　
キ　引用発明の「指定された座標を結び，座標データから毛長及び毛髪直径を求め，指定された毛髪直径で硬毛・軟毛を種別し，そのカウント数」と，補正発明の「画面上に付与したタグマークを自動集計することで毛髪数の計測を行う」とは，「自動集計することで毛髪数の計測を行う」の点で共通する。
　引用発明の「硬毛密度，軟毛密度測定方法」は，補正発明の「毛髪数の計測方法」に相当する。
　
　そうすると，両者は，　　
（一致点）　　
「下記の（１）〜（５）の工程を順次実行することを特徴とする毛髪数の計測方法。
（１）計測対象者の頭部に対して計測のための部位を選定する工程
（３）選定部位のカメラでの撮影を行い，その画像データを取得する工程
（４）画像データを処理装置に取り込んで画面上に表示し，生えている毛髪１本一本に対して指定する工程
（５）自動集計することで毛髪数の計測を行う工程」である点で一致し，以下の点で相違するといえる。　
　
（相違点１）
　計測対象者の頭部に対して選定する計測のための部位について，補正発明では「計測部位とする部位を含む部位」であるのに対して，引用発明では「計測部位とする部位」である点。
　
（相違点２）
　撮影について，補正発明が，デジタルカメラを用いており，「カメラレンズと頭皮の距離を常に一定にするための接触ドームを先端に接続したＣＣＤカメラ付マイクロスコープを用いて行」うのに対して，引用発明が，ビデオカメラを用いており，接触ドームを先端に接続したＣＣＤカメラ付マイクロスコープを用いて行うかは不明である点。
　
（相違点３）
　画像データを処理装置に取り込む点について，補正発明では「画像データをコンピュータに取り込んで画面上に表示し，画面上に表示した画像の中から所定面積の計測部位を決定」するのに対して，引用発明では「画像データを画像解析装置（ｌ７）に取り込んで画面上に表示」するが，「画面上に表示した画像の中から所定面積の計測部位を決定」することはしない点。
　
（相違点４）
　「画面上での指定を自動集計することで毛髪数の計測を行う」ために「生えている毛髪１本一本に対して」の「指定」について，補正発明では「画面上で」「タグマークを付与する」のに対して，引用発明では「キーボード（２２）およびデジタイザ−（１９）からの指令により画像中の」「座標並びに毛幅の座標を指定」する点。
　
（１）相違点１についての検討
　計測のための部位として選定する部位として，計測部位とする部位より大きい，計測部位とする部位を含む部位とすることは，位置合わせの誤差等に対応するために普通に行われることであるから，当業者が必要に応じて適宜成し得る設計事項にすぎない。
　
（２）相違点２についての検討
　「人の頭皮の検査等のための撮影として，カメラレンズと頭皮の距離を常に一定にするための接触ドームを先端に接続したＣＣＤカメラ付マイクロスコープを用いて拡大撮影すること」は，デジタルカメラの撮像部としてＣＣＤを用いることが慣用されているので周知技術である（刊行物２（の摘記事項（２−ア））や，刊行物３（の摘記事項（３−ア））参照）。　
　そして，人の頭皮の検査を含む医療用や美容用の画像の撮影においても，アナログカメラもデジタルカメラも，適宜用いられている。
　さらに，正確に画像を撮影するために撮影対象との距離を一定にすることは，普通に考えることである。
　してみると，引用発明のアナログカメラを用いた撮影を，デジタルカメラを用いた上記周技術に置き換え，相違点に記載の補正発明の構成とすることは，十分動機付けがあり，阻害要因もなく，当業者が容易に想到するものといえる。
　
（３）相違点３についての検討
　画像データを取り込んで，画像を解析するための装置として，画像解析装置のような専用装置の機能を、汎用装置に画像解析プログラムと必要な入出力装置を加えて達成しようとすることは，コストの削減等を考えて当業者が普通に考えることである。
　そして，そのような汎用装置としてコンピュータは慣用されている。
　また、画像を解析するために，画像の計測等の解析をする部位をどこかの段階で決定することは技術上必然であるので，人が眼で認識できる画面上に表示したタイミングで行うことは普通に考えることである。
　してみると，引用発明の「画像解析装置」を「コンピュータ」に画像解析プログラムと必要な入出力装置を加えた構成に置き換え，引用発明の「画像データを画像解析装置（ｌ７）に取り込んで画面上に表示」する構成に代えて、「画像データをコンピュータに取り込んで画面上に表示し，画面上に表示した画像の中から所定面積の計測部位を決定」する構成を採用することは，当業者が容易に想到するものといえる。
　
（４）相違点４についての検討
　本願明細書を参酌すると，補正発明のタグマークは，従来技術の毛髪をカウントするために行う「（６）描いた四角形・・・の中にある色素を有する毛髪を非軟毛としてその根元に油状のマジックでドットを打ってドットマップを作成する工程」でのドットに代わるものと認められる。
　一方，引用発明の毛髪の「座標」の指定も，毛髪をカウントするためのものである。
　そして，画像中の位置の指定として，「キーボード（２２）およびデジタイザ−（１９）からの指令により」行う方式も，画像を画面上に表示し，画面上で行う方式も，共に周知技術である。
　そうすると，毛髪数の計測を行うための毛髪１本一本に対しての指定として，座標に代えてタグマークを用い，「キーボード（２２）およびデジタイザ−（１９）からの指令により」「座標」を指定することに代えて，より簡便な画像を画面上に表示し，画面上で「タグマーク」を付与する構成を採用することは，当業者が容易に想到するものといえる。
　
（５）そして，補正発明の作用効果は，刊行物１記載の事項および周知技術から当業者が予測し得る範囲内のものにすぎない。
　
（６）したがって，補正発明は，引用発明および周知技術に基いて当業者が容易に発明をすることができたものであるというべきであり，特許法第２９条第２項の規定により，特許出願の際独立して特許を受けることができないものである。
　　　
４　まとめ　　
　以上のとおりであるから，本件補正は，平成１８年法改正前の特許法第１７条の２第５項において準用する同法第１２６条第５項の規定に違反するので，同法第１５９条第１項の規定において読み替えて準用する同法第５３条第１項の規定により，却下すべきものである。　
　
第３　本願発明について　　
１　本願発明　　
　本件補正は，上記のとおり却下されることとなるので，本願の請求項１〜５に係る発明は，平成２３年９月１日付け手続補正書により補正された特許請求の範囲の請求項１〜５に記載された事項により特定されたものであって，その請求項１に係る発明は，次のとおりであると認める。　　
「【請求項１】
　下記の（１）〜（５）の工程を順次実行することを特徴とする毛髪数の計測方法。
（１）計測対象者の頭部に対して計測部位とする部位を含む部位を選定する工程
（２）選定部位に生えている毛髪を０．５ｍｍ〜３ｍｍの長さに必要に応じてカットする工程
（３）選定部位をデジタルカメラで撮影することで，その画像データを取得する工程（但し，撮影はカメラレンズと頭皮の距離を常に一定にするための接触ドームをカメラの先端に接続して行うものとする）
（４）画像データをコンピュータに取り込んで画面上に表示し，画面上に表示した画像の中から所定面積の計測部位を決定し，画面上で計測部位に生えている毛髪１本一本に対してタグマークを付与する工程
（５）画面上に付与したタグマークを自動集計することで毛髪数の計測を行う工程」（以下，「本願発明」という。）
　
２　引用刊行物およびその記載事項　　
　本願出願前に頒布された刊行物１およびその記載事項は，上記「第２　２」に記載したとおりである。　　
　　　
３　当審の判断　　
　本願発明は，補正発明の「撮影
を
カメラレンズと頭皮の距離を常に一定にするための接触ドームを先端に接続したＣＣＤカメラ付マイクロスコープを用いて行い
　そうすると，本願発明の構成要件を全て含む補正発明が，上記「第２　３」において検討したとおり，引用発明および周知技術に基いて，当業者が容易に発明をすることができたものであるから，本願発明も，同様の理由により，引用発明および周知技術に基いて当業者が容易に発明をすることができたものであるというべきである。
　
第４　まとめ　　
　以上のとおり，本願発明は，特許法第２９条第２項の規定により特許を受けることができないから，その他の請求項について言及するまでもなく，本願は拒絶されるべきものである。　　
　よって，結論のとおり審決する。